(57)【特許請求の範囲】
【請求項１】
編織布、糸条体を互いに部分的に交絡させたもの、さらにこれらを合成樹脂で目止めしたもの、または、複数の糸条体を部分的に重ね、少なくとも重なった部分を合成樹脂や接着剤で固定した物である、二次元状体の黒色の糸条体が、透明なシート状物内及び／またはその表面にかつ部分的に配置されるシートシャッターに用いるシートの製造方法であって、
合成樹脂をカレンダー法で溶融させて、糸条体に溶融コーティングして一体化する工程を含むことを特徴とする、シートシャッターに用いるシートの製造方法。
【請求項２】
前記目止めは、編織布または糸条体を互いに部分的に交絡させた二次元状体の糸条体を、黒色の着色剤を配合した溶融合成樹脂または黒色の着色剤を配合した合成樹脂溶液に浸漬して行うことを特徴とする、請求項１に記載のシートシャッターに用いるシートの製造方法。
【請求項３】
前記二次元状体の黒色の糸条体が、繊維の周囲にカーボンブラックが配置されて構成された二次元状体の糸条体であることを特徴とする、請求項１または２に記載のシートシャッターに用いるシートの製造方法。
【発明の詳細な説明】
【技術分野】
【０００１】
本発明は、主として工場や倉庫等の出入口や内部スペースで使用されるシートシャッター、及び、このようなシートシャッターに用いられるシートシャッター用シートに関する。
【背景技術】
【０００２】
材料や製品を頻繁に搬入出する工場や倉庫には、それらの出入口に自動開閉するシートシャッターが設けられていることが多い。このようなシートシャッターにより工場や倉庫内への虫やゴミの侵入を防止したり、室温を所定の温度に管理できるなどの効果がある。また、高度なクリーン環境が要求される工場では、工場内のエリア毎にシートシャッターを設置することで、清浄度を維持している。
【０００３】
自動開閉するシートシャッターはセンサを備え、人やフォークリフト等の車両が出入口に近づくと感知して、そのシート部を高速で巻上げて開口させ、人や車両が通過すると巻下ろして閉口させる機構を有している。シート部がこのように高速で上昇下降することにより、虫やごみの室内への侵入防止や室温管理において高い効果が得られる。
【０００４】
シートシャッターのシート部を構成するシートシャッター用シートとしては、頻繁な巻上げ・巻下ろし動作に耐える耐久性と、シート部の裏側の人や車両の存在を認識するための透過視認性と、を満足するために、一般に、補強材として合成繊維から構成された粗目の編織布の両面に、透明な塩化ビニル樹脂フィルムを積層したシートが用いられることが多い。
【０００５】
しかしながら、従来のシートシャッターでは、特に、屋外への出入口等の、明るい場所と暗い場所との境界に設置した場合に、明るい場所からの暗い場所の視認が困難となりやすく、このため、透過視認性を向上させることができるシートシャッター用シートが求められていた。
【先行技術文献】
【特許文献】
【０００６】
【特許文献１】特開２０１２−７４２５号公報
【発明の概要】
【発明が解決しようとする課題】
【０００７】
本発明は、上記した従来の問題点を改善する、すなわち、透過視認性を向上させることができるシートシャッター用シート、及び、そのようなシートシャッター用シートを有するシートシャッター提供することを目的とする。
【課題を解決するための手段】
【０００８】
本発明者らは、実際の事例を詳細に検討した結果、従来のシートシャッターのシートに用いられている補強材としての繊維は白色であり、そして、明るい場所からこのようなシートを透過して暗い場所を見る際に、この白色の繊維が視認性の低下を招いていることを見いだして、本発明に至った。
【０００９】
すなわち、本発明のシートシャッターに用いるシートの製造方法は、上記課題を解決するため、請求項１に記載の通り、編織布、糸条体を互いに部分的に交絡させたもの、さらにこれらを合成樹脂で目止めしたもの、または、複数の糸条体を部分的に重ね、少なくとも重なった部分を合成樹脂や接着剤で固定した物である、二次元状体の黒色の糸条体が、透明なシート状物内及び／またはその表面にかつ部分的に配置されるシートシャッターに用いるシートの製造方法であって、合成樹脂をカレンダー法で溶融させて、糸条体に溶融コーティングして一体化する工程を含むことを特徴とする。
【００１０】
前記目止めは、編織布または糸条体を互いに部分的に交絡させた二次元状体の糸条体を、黒色の着色剤を配合した溶融合成樹脂または黒色の着色剤を配合した合成樹脂溶液に浸漬して行うことが好ましい。
【００１１】
前記二次元状体の黒色の糸条体が、繊維の周囲にカーボンブラックが配置されて構成された二次元状体の糸条体であることが好ましい。
【発明の効果】
【００１２】
本発明のシートシャッター用シートは、糸条体が透明なシート状物内及び／またはその表面にかつ部分的に配置されたシートシャッター用シートにおいて、前記糸条体が黒色である構成により、透過視認性を向上させることができ、屋外への出入口にこのようなシートを備えたシートシャッターを設置した場合であっても、屋外から室内を見る際に支障が生じにくい。
【００１３】
また、本発明のシートシャッター用シートは、前記糸条体を、繊維の周囲にカーボンブラックが配置されて構成された糸条体とすることができ、静電気の発生が抑制され、シートシャッターのシート部にごみやほこりの付着が防止されるので、これらによる透過視認性の低下が生じにくい。
【００１４】
本発明のシートシャッターは、上記のシートシャッター用シートを備えているので、透過視認性の向上が可能で、屋外への出入口に設置した場合であっても、屋外から室内を見る際に支障が生じにくい。
【図面の簡単な説明】
【００１５】
【図１】本発明のシートシャッター用シートの一例を示すモデル図である。
【図２】本発明のシートシャッター用シートの他の一例を示すモデル図である。
【図３】実施例における透過視認性の評価方法を示すモデル図である。
【図４】本発明の実施例シートと従来技術のシートとの透過視認性の評価結果を示す写真である。
【発明を実施するための形態】
【００１６】
本発明のシートシャッター用シートは、十分な透過視認性を確保するために、糸条体が配置された以外の部分は基本的に透明であることが必要である。ただし、本発明の効果を妨げない限りにおいて、各種文字や意匠、模様等などにより部分的に不透明や半透明な部分を有していてもよい。また、透明部分が無色であると特に高い透過視認性が得られるので好ましいが、必要に応じて、例えば、防虫効果を得るためにオレンジ色や緑色等に着色されていてもよい。
【００１７】
本発明のシートシャッター用シートは、その内部及び／またはその表面に、糸条体を有していることが十分な耐久性を有するために必要である。糸条体としては、天然繊維、化学繊維、合成繊維などから適宜選択できるが、強度が高く、寸法安定性、耐吸湿性、耐熱性、防黴性、耐久性に優れるので、ポリエステル繊維であることが好ましい。なお、糸条体がシートシャッター用シートの全体に（隙間なく）配置されていると十分な透過視認性が得られなくなる。本発明のシートシャッター用シートでは、糸条体は十分な耐久性を付与できる程度、部分的に配置されていること必要である。
【００１８】
本発明で用いられる糸条体の形状としては、例えば紡績糸、撚糸、モノフィラメント、マルチフィラメント、ストランド、スモールトウなどの一次元状のものがあげられる。糸条体はそのまま用いてもよいが、これらの１種または２種以上を二次元状に組み合わせたもの（以下、「二次元状体」とも云う）も用いることができる。二次元状体を用いると、シートシャッター用シートにより高い耐久性を付与できるので好ましい。なお、このような二次元状体は、シートシャッター用シートとしたときに高い透過視認性が確保されるように、開口面積が大きいものであることが好ましい。
【００１９】
二次元状体としては、編織布や、糸条体を互いに部分的に交絡させたものや、さらにこれらを合成樹脂で目止めしたもの、あるいは、複数の糸条体を部分的に重ね、少なくとも重なった部分を合成樹脂や接着剤で固定した物などを用いることができる。合成樹脂を用いる場合には、例えば溶融合成樹脂や合成樹脂溶液を吹き付ける、あるいは、溶融合成樹脂や合成樹脂溶液に二次元状体を浸漬するなどの方法が挙げられる。なお、目止めに用いる合成樹脂としては、塩化ビニル樹脂、塩化ビニル−酢酸ビニル共重合樹脂、エチレン−酢酸ビニル共重合体樹脂、エチレン−塩化ビニル共重合体樹脂、アクリル樹脂、ウレタン樹脂などが挙げられるが、このうち、塩化ビニル−酢酸ビニル共重合樹脂であると接着力が高く、目曲がり防止に優れ、風合いが硬く剛性に優れ、耐水性、難燃性に優れるために好ましい。
【００２０】
本発明で用いる糸条体は、シートシャッター用シートに十分な透過視認性を付与するために黒色であることが必要である。なお、用いる糸条体は原料時点から黒色である必要はなく、染色等の処理により黒色に着色したものであってもよく、また、黒色の着色剤を付着させて黒色としたものであってもよい。
【００２１】
ここで、上述のように、目止めのために二次元状体を溶融合成樹脂や合成樹脂溶液に浸漬するなどの方法を行う際に、黒色の着色剤を配合することで、特別な手間や工程、装置を必要とせずに黒色の二次元状体を得ることができる。
【００２２】
さらに、黒色の着色剤としてカーボンブラックを用いることで、着色と同時に導電性をも付与することができ、このとき、製造コストを低廉なものとしながら、蒸着など真空の高コスト工程を必要とする特許文献１に記載のシートシャッター用シートと同様に、開閉時の静電気の発生を抑制できるので、ごみやちりなどの付着を防止し、これらによる透過視認性の低下をも防止することが可能となる。
【００２３】
本発明のシートシャッター用シートのシート部分は合成樹脂のフィルムやシートにより構成する。材質としては、一般的なものが用い得るが、非吸水性、耐候性、透過視認性、及び、防炎性に優れているために軟質な塩化ビニル樹脂であることが好ましい。
【００２４】
本発明のシートシャッター用シートは、例えば、このような合成樹脂をＴダイ押出成形する際にダイ出口付近で上記のような糸条体を供給して一体化させる、２枚の合成樹脂製シート（あるいはフィルム）の間に糸条体を供給してラミネートする、あるいは、合成樹脂をカレンダー法で溶融させて、糸条体に溶融コーティングして一体化するなどの方法で作製することができる。
【００２５】
このようにして得られた本発明のシートシャッター用シートは、従来のシートシャッター用シートと同様にしてシートシャッターに組み込むことができる。
【００２６】
ここで、本発明のシートシャッター用シートの一例を図１にモデル的に示す。
【００２７】
この例では、糸条体１から構成された目開きの大きい絡み織の織物に対してカーボンブラックを混合した樹脂をコーティングして目止めして得た黒色の二次元状体を用い、その上下面に合成樹脂のシート２を重ねてラミネート加工したものである。
【００２８】
また、図２に本発明のシートシャッター用シートの他の例を示す。この例では平行配置された黒色の糸条体群とこれらと交差するよう波状に屈曲して配置された黒色の糸条体群（波の位相がおよそ９０度異なる２つの群から構成されている）とが２枚の透明なシート２により挟着された、内部に糸条体が二次元的に配置されたシートシャッター用シートである。このような構成により、このシートシャッター用シートでは、手間や編織機等が必要となる二次元状体を用いることなく、二次元状体を用いた場合とほぼ同レベルの耐久性を付与することができる。
【００２９】
以上、本発明について、好ましい実施形態を挙げて説明したが、本発明のシートシャッター用シート、及び、シートシャッターは、上記実施形態の構成に限定されるものではない。
【００３０】
当業者は、従来公知の知見に従い、本発明のシートシャッター用シート、及び、シートシャッターを適宜改変することができる。このような改変によってもなお、本発明のシートシャッター用シート、及び、シートシャッターの構成を具備する限り、もちろん、本発明の範疇に含まれるものである。
【実施例】
【００３１】
以下に、本発明の実施例について示す。
【００３２】
糸条体として、９０００ｍあたりの重量が１０００ｇのポリエステルのマルチフィラメント（１０００Ｄ）を用い、経緯ともにこの糸条体２本による絡み織の織物（打ち込み間隔は経緯とも９ｍｍ）を二次元状体として作製した。
【００３３】
この織物を、いずれも市販の、塩化ビニル・酢酸ビニル共重合体樹脂１００重量部、
フタル酸ビス（２−エチルヘキシル）４０重量部、及び、カーボンブラック１０重量部を混合して得たペースト状組成物に浸漬した後、加熱ゲル化させて、目止めされた黒色の二次元状体を得た。
【００３４】
次いで、塩化ビニルシートの作製を行った。いずれも市販の、ポリ塩化ビニル・酢酸ビニル共重合体：１００質量部、可塑剤：２０質量部、防炎可塑剤：２５質量部、エポキシ化大豆油：７質量部、安定剤：３．５質量部、アンチブロッキング剤：０．０５質量部、そして、ポリ塩化ビニルの黄色味を消すための顔料として群青を０．０４質量部、これらを配合して、溶融押出成型法により厚さ０．４５ｍｍの無色透明のシートを得た。
【００３５】
そして、この透明なシート２枚の間に上記の黒色の二次元状体を配置し、熱ラミネート法により積層し一体化させて、実施例のシートシャッター用シート（以下、「実施例シート」と云う。図１参照。）を得た。
【００３６】
なお、従来技術のシートシャッターで用いられている、内部に白色の二次元状体が配置されたシートシャッター用シート（以下、「従来シート」と云う。）は、カーボンブラックを用いない以外はこの実施例シートと同様に作製されている。
【００３７】
上記で作製した実施例シートと従来シートの透過視認性を、次のようにして比較評価した。
【００３８】
透過視認性の評価は、７月下旬の曇天の日の１０時３０分〜１１時の間に、島根県内の、ある建物の南側の出入口に、実施例シートまたは従来シートをそれぞれ仮設置して行った。
【００３９】
視認評価用サンプルとして、文字「あ」（「ＭＳＰゴシック」フォント）をマイクロソフト社の「ＭＳワード」（商標）により、字高約１５８ｍｍ（フォントサイズ：５００）で白色のＰＰＣ用紙に黒色で印字したものを準備した。
【００４０】
図３にモデル的に示すように、壁２０に設けられた出入口２１から２ｍの距離の屋外（照度：５１５００ｌｘ）にカメラ１１（自動露出）を、出入口２１には鉛直に評価対象シート（実施例シートまたは従来シート）１０を、さらに屋内（照度：２０００ｌｘ）の、出入口２０から２ｍの位置（以下、「２ｍ位置」と云う。）１２、または、出入口２０から３ｍの位置（以下、「３ｍ位置」と云う）１３に、文字「あ」が評価対象シート１０を介してカメラ１１に正対するように視認評価用サンプルを、それぞれ配置し、それぞれ写真（デジタル写真）を撮影した。
【００４１】
撮影した写真のうち、２ｍ位置での写真を文字「あ」の文字高が約５．２ｍｍになるように、３ｍ位置での写真を文字「あ」の文字高が約４．３ｍｍになるようにそれぞれ印刷した。これらを手に持って観察したところ、視認評価用サンプルを２ｍ位置に配置したときの写真（図４（ｂ）参照）では、実施例シートを用いた場合には文字「あ」を明瞭に認識できるが、従来シートを用いた場合の写真（図４（ｃ）参照）では文字「あ」はかろうじて解読される程度の視認性である。３ｍ位置に配置したときの写真では、実施例シートを用いた場合（図４（ｅ）参照）では文字「あ」が容易に解読されるが、従来シートを用いた場合（図４（ｆ）参照）には解読できないことが判った。なお、図４（ａ）及び図４（ｄ）はそれぞれ視認評価用サンプルを２ｍ位置及び３ｍ位置に設置し、評価対象シートを出入口２１に設置せずに撮影した写真である。
【符号の説明】
【００４２】
１  黒色の糸条体
２  透明なシート（透明なシート部分）
【図１】
0006295192.tif 000002
【図２】
0006295192.tif 000003
【図３】
0006295192.tif 000004
【図４】
0006295192.tif 000005